(57)【要約】この発明は、敏感な環境において空気を清浄化すうための空気清浄化装置に関するものである。さらに詳しくは、この発明は、入口をもつ空気清浄化アッセンブリー（４）を備える空気清浄化装置（２）に関するもので、空気が換気されている室内から空気清浄化アッセンブリーに配置されたファンにより前記入口を経て吸引され、前記空気清浄化アッセンブリーは、さらに、調節できる空気ダクト（６）を備え、前記空気ダクトで空気を前記空気清浄化アッセンブリーから前記空気清浄化アッセンブリーに配置された空気排出配分ユニット（８）へ送り、該ユニットには、クリーンな空気を配分するためのスクリーン（１０）が配置されておりこのスクリーンは、少なくとも一つの圧力低下増進手段（１２）を備え、これによって、排出される空気の風速をならし、乱流が少ない空気流又は層流の空気流を配分し、さらに、前記空気清浄化装置においては、空気を清浄化する一つのフィルターを備え、前記空気清浄化装置（２）は、室内を移動できるユニット（１４）、（１８）になっていて、これによって、排出空気分配ユニットが層流空気流／乱流が少ない空気流を室内の所望の場所へ配分できるようになっている。この発明はまた空気清浄化装置の使用と空気清浄化装置の製造方法にも関している。
2005502015.tif 000002
【特許請求の範囲】
【請求項１】
敏感な環境における空気清浄化のための空気清浄化装置（２）であり、入口をもつ空気清浄化アッセンブリー（４）を備え、この入口を介して、空気清浄化アッセンブリーに配置されたファンにより換気されている室内から空気が吸引されるようになっていて、さらに前記空気清浄化アッセンブリーは、調節可能の空気ダクト（６）を備え、この空気ダクトで前記空気清浄化アッセンブリーから空気を前記空気清浄化アッセンブリーに配置した空気放出配分ユニット（８）へ送気するようになっている前記空気清浄化装置において、前記空気放出配分ユニットに対しては、クリーンな空気を配分するスクリーン（１０）が配置され、このスクリーンは、実質的に垂直に位置して、実質的に水平の層流空気流／乱流が殆ど起きていない空気流を提供し、そして、空気清浄化装置（２）は、室内で移動できるユニットになっており、これによって、室内の所望の場所に層流の空気流／乱流が少ない空気流が流れるように前記排気空気配分ユニットを移動させ、向きを整えさせることができることを特徴とする空気清浄化装置。
【請求項２】
前記スクリーン（１０）に配置の配分プレート（４４）により、中央部分において放出される空気流の風速（Ｖ１）が前記スクリーンの側縁から放出される空気流の風速（Ｖ２）よりも早くなっていることを特徴とする請求項１による空気清浄化装置。
【請求項３】
スクリーン（１０）に配分プレート（４４）が配置され、前記スクリーンの側縁からの放出空気の向きが前記スクリーンの中央領域一帯の領域から分与される層流の空気流とは異なる方向になることを特徴とする請求項１による空気清浄化装置。
【請求項４】
空気清浄化装置（２）は、外科手術に使用される器具置きテーブル（１８）に配置されるか、又は、手術台（１６）に配置されることを特徴とする請求項１による空気清浄化装置。
【請求項５】
空気清浄化アッセンブリー（４）に殺菌、バクテリア滅菌チャンバが配置されていることを特徴とする請求項１による空気清浄化装置。
【請求項６】
調節可能な空気ダクト（６）は、ｘ，ｙ及びｚ方向へ可動な関節機構アームシステム（３０）に配置されていることを特徴とする請求項１による空気清浄化装置。
【請求項７】
フィルターが前記放出空気配分ユニット（８）に配置され、圧力低下増進手段（１２）を備えていることを特徴とする前記請求項のいずれか一つによる空気清浄化装置。
【請求項８】
着脱自由のフロント（６０）がスクリーン（１０）に近接して配置され、このフロンゴは、前記スクリーンの空気放出面の大部分を覆うものであることを特徴とする請求項１による空気清浄化装置。
【請求項９】
空気清浄化ユニット（４）を空気清浄化装置（２）に配置し、空気放出配分ユニット（８）を前記空気清浄化ユニットに配置して敏感な環境において空気を清浄化する方法において、以下の工程を行うことを特徴とする方法：
スクリーン（１０）を空気放出分配ユニットに配置すること；
前記スクリーンを実質的に垂直に位置させ、実質的に水平の層流空気流／乱流が少ない空気流を放出すること；
空気清浄化装置（２）を室内で移動可能なユニット（１４，１８）にすること；以上によって前記空気放出分配ユニットを室内の所望の場所へ層流空気流／乱流が少ない空気流を放出できるように移動し、向きを整えさせるものである。
【請求項１０】
手術台（１６）又は器具置きテーブル（１８）が手術室内にある請求項１から請求項８のいずれか一つによる空気清浄化装置の使用。
【請求項１１】
手術室が利用できない場合の単純な外科手術を行うための請求項１から請求項８のいずれか一つによる空気清浄化装置の使用。
【発明の詳細な説明】
【技術分野】
【０００１】
この発明は、手術室、製薬分野、マイクロチップ製造（加工処理産業）分野及び類似分野のような敏感な（センシティブ）な環境においての空気を清浄化するための空気清浄装置に関するものである。この発明は、また、空気清浄装置を製造する方法にも関する。
【背景技術】
【０００２】
粒子類を効果的に除去する換気（ベンチレーション）は、例えば、手術室、製薬、マイクロチップ製造（加工処理産業）及び類似の分野領域のような敏感な環境において益々重要なことになってきている。例として、外科手術及び手術室の環境に関連した具体的な問題を選んで、これらに言及することにする。
【０００３】
人々を苦しめ、社会に対し重い出費になってしまう外科関連の手術における感染の危険をなくすために絶えざる開発が行われている。最も危険な手術のうちの一つは整形手術であり、周囲の空気、人及び器具類が高い清浄度を保つものでなければ、術後感染の危険は、非常に高くなる。近年、異なるタイプの手術の間における空気の影響について多くの研究がなされている。手術開始の時点で手術室内のすべてのものが滅菌されていたとしても、周囲の空気は、約３０分後において既にバクテリアをもつ粒子によって汚染されてしまっており、感染の危険度は数パーセント上昇することが、研究の成果により示されている。
【０００４】
手術に関係する人が動き、例えば、皮膚や布地類から色々異なる粒子が出てくる事実により前記問題はさらに大きくなる。多数の種々色々の空気清浄化方法と換気システムとにより、人に過大な負担を与えずに空気の質を高めることが提案されている。最も効果的な手段の一つは、入りこんでくる空気を９９．９９９７％の信頼度で清浄にするＨＥＰＡフィルター（高効率微粒子空気フィルター）をもつ層流シーリングである。このシステムは、特に手術室に多用されており、“クリーエアー・シーリング（天井）”とも呼ばれている。このシステムは、空気の層流（ＬＡＦ）を作るもので、即ち、区画された領域内の全体の空気マスが平行な線にそって乱流を起こさずに同じ速度で流れるようになっている。このようなシステムに対する最適な空気の速度は、０．３〜０．４ｍ／ｓｅｃであって、空気で運ばれる粒子類を除去しながら、可能な限り乱流が起きないようにしている。この空気の層流は、垂直方向又は水平方向のいずれに流れるようにできる。上記したシステムは、例えば、股関節手術の間、感染度を約８％減少させることに貢献した。スエーデン規則により毎時１５〜２０の空気の交換が要求される場合に、前記システムは、進歩した手段で換気を行う。
【０００５】
このシステムは、比較的高価な換気の選択肢である。装置のコストは、約２００万スエーデンクローネになり、極く限られた設備／病院にしか通用しない。このシステムは、手術灯、手術に関係する人及び天井から垂れ下がっている種々の器具のような邪魔ものが天井と患者との間の層流内に常時存在している点で最適なものとは思えない。これらの邪魔ものによって、空気の流れに乱流が生じ、重要な領域に粒子類が残留し、危険な状態になる。手術台のまわりの手術に関係する人の位置をマップするために計測されることもある。いくつかの場合においては、手術関係者は、空気の流路に立つように示されている。
【０００６】
空気流、人及び器具テーブルの間における関係について、ＬＡＦにおけるすべてのタイプの手術を注意深く研究すべきであることになっている。要するに、記載されたシステム、ＨＥＰＡフィルターをもつ層流天井は、手術室においては換気と同じ機能であるが、人々が動きまわったり、汚染された粒子類を発散させるので、手術台（患者）及び器具テーブルの上の空気が極めて清浄な空気であることを保証できるものではないと言うことができる。記載した問題点は、優れたシステムがまわりの因子に影響をうけてしまい、したがって、空気を清浄化しても目的達成の一助にならない。
【０００７】
一つの問題は、手術室におけるスループットである。患者を手術室内に置くことで、空気のバクテリア汚染度が非常に高まるもので、したがって同時に器具類を配置することは極めて不適当なことになる。この結果、手術の手順の間の時間（１分でも貴重なもの）が浪費してしまう。固定した装置（超クリーン・ルーム）に関連の問題は、手術する関係者がクリーンな空気の流路に立つことが難しい点である。
【０００８】
ＤＥ−Ｃ−４０１４７９５は、ＨＥＰＡフィルターをもつ層流シーリングを備えた手術室用空気清浄化装置に関している。例えば、図面から分かるように、清浄化された空気は、層流シーリングから出発する。その後、層流空気流は、手術ランプにより天井と患者との間で邪魔される。邪魔されることで、空気流に乱流が生じる。空気流の一部は、手術ランプに配置されたファンにより手術ランプ内のチャンネルを通るようになっている。このようにして、手術室内が過圧状態になり、手術ランプ内を流れる空気流は、層流シーリングからの空気流とは流速が異なるようになる。手術ランプは、層流のシーリングに固定されていて、したがって、手術は、前記装置の直近で行わなければならない。
【０００９】
ＵＳＡ−５２２５１６７は、ＨＥＰＡフィルターを備える固定された空気清浄化装置に関する。この空気清浄化装置は、層流／乱流が少ない空気流を作る圧力下げ増加手段をもつスクリーンを含んでいない。
【００１０】
発明の記述
この発明は、従来技術による蒸気の欠点をなくすことを目的とするものである。この発明の目的は、ユーザーフレンドリーの信頼でき、コスト的にすぐれた装置を達成しようとするもので、動いている人や装置類のような外部要因に強く影響される最も重要な環境下において空気を清浄にし、これを分布させることができるようにしたものである。これによって、この発明の広大な目的は、取り分け空気清浄化装置を達成することにあり、この装置は、敏感な環境（例えば、手術台の上の領域のような）においてクリーンで、乱流が少なく／層流の空気流を分布させることができ、室内における人や装置類により空気が流れないようにして特定領域（例えば、手術を行う領域やマイクロチップ部品の利用領域）に前記空気流を流すことができるものである。さらには、この発明は、空気配分スクリーンをもつフレキシブルな空気清浄化装置を達成するもので、この装置は、乱流を少なくし／層流の空気流を確実なものとする一方、単純な構造で、簡単に使用でき、清浄化が容易に行えるようにできるものである。さらなる目的は、敏感な環境に対するコスト効率がよい空気清浄化装置を提供することにある。
【００１１】
請求項１の特徴項による空気清浄化装置により問題解決がなされる。さらに詳しくは、この発明による請求項１は、手術室、薬品製造、マイクロチップ生産（処理産業）及び類似の分野のような敏感な環境における空気清浄化のための空気清浄化装置に関するものである。この空気清浄化装置は、入口をもつ空気清浄化アッセンブリーを備え、この入口を介して、空気清浄化アッセンブリーに配置されたファンにより換気されている室内から空気が吸引されるようになっている。さらに、前記空気清浄化アッセンブリーは、調節可能の空気ダクトを備え、この空気ダクトで前記空気清浄化アッセンブリーから空気を前記空気清浄化アッセンブリーに配置した放出配分ユニットへ送気するようになっている。前記ユニットに対しては、クリーンな空気を配分するスクリーンが配置され、このスクリーンは、少なくとも一つの圧力低下を増進させる手段が備えられている。この圧力低下を増進させる手段により、放出される空気の速度がならされて、乱流になっていない空気流又は層流の空気流が流される。前記空気清浄化装置においては、さらに少なくとも一つのフィルターが配置され、これで空気を清浄化する。前記空気清浄化装置は、室内で移動できるユニットになっており、これによって、室内の特定の領域への空気流が人や装置類により邪魔されることなく、室内の所望の場所に層流の空気流／乱流が少ない空気流が流れるように前記放出空気配分ユニットを移動させ、向きを整えさせることができる。
【００１２】
このようにして、敏感な環境下における室内の空気清浄化装置が成就されるもので、この装置は、クリーンな空気を簡単に、種々の方向に向け精度よく所望の領域へ流すことができるものである。この発明による解決策は、存在しているベンチレーション，装置又は人により影響されるものではない。移動可能な前記空気清浄化装置は、種々異なる機能面（外科手術、マイクロチップの製造などのような）に簡単に適合する。この空気清浄化装置の特に有利な用途は、手術環境であり、手術室の機能を高め、より多くの手術が行えると共に、簡単な外科手術であれば、手術室でなくても行えるようになり、効率的に手術室を活用できる。さらなる利点は、この空気清浄化装置により、これまでの技術に較べ大幅なコウストダウンが期待できる。
【００１３】
この記述において、用語“クリーンな（清浄な）”空気は、粒子が少なくされた空気流を指し、これは、一般的にはウルトラクリーン（超清浄）を言う。最も最良なケースにおいては、クリーンな空気流は、空気清浄化装置から出てゆくとき滅菌される。
【００１４】
この発明の好ましい実施例によれば、前記空気清浄化装置に対するスクリーンは、一つ又はそれ以上の圧力低下を増進させる複数のプレートを備えている。
【００１５】
この発明の別の好ましい実施例によれば、前記空気清浄化装置の空気ダクトは、前記スクリーンをｘ，ｙ及びｚ方向へ動かす手段を備えている。
【００１６】
この発明は、また、手術室、薬品製造、マイクロチップ生産（処理産業）及び類似の分野のような敏感な環境における空気清浄化のための空気清浄化装置を製造する方法からなる。この空気清浄化装置においては、入口をもつ空気清浄化アッセンブリーが配置され、この入口を介して、空気清浄化アッセンブリーに配置されたファンにより換気されている室内から空気が吸引されるようになっている。前記クリーンな空気清浄化アッセンブリーに対しては、さらに調節可能の空気ダクトが配置され、前記空気清浄化アッセンブリーにおいては、放出空気配分ユニットが配置され、前記空気ダクトで前記空気清浄化アッセンブリーから空気を前記放出配分ユニットへ送気するようになっている。前記放出空気分配ユニットにおいては、クリーンな空気を配分するスクリーンが配置され、このスクリーンは、少なくとも一つの圧力低下を増進させる手段が備えられ、この圧力低下を増進させる手段により、放出される空気の速度がならされて、乱流になっていない空気流又は層流の空気流が流される。前記空気清浄化装置においては、さらに少なくとも一つのフィルターが配置され、これで空気を清浄化する。前記空気清浄化装置は、室内で移動できるユニットになっており、これによって、室内の特定の領域への空気流が人や装置類により邪魔されることなく、室内の所望の場所に層流の空気流／乱流が少ない空気流が流れるように前記放出空気配分ユニットを移動させ、向きを整えさせることができる。
【００１７】
この発明は、また、手術室における手術台に上記した空気清浄化装置を使用することからもなる。
【００１８】
この発明を添付の図面により図解しながら限定しない模範的な実施例によりさらに詳細に説明する。
【００１９】
模範的実施例の記述
図１Ａは、空気清浄化装置２を示し、この装置は、入口（図示せず）をもつ空気清浄化アッセンブリー４を備え、該入口を経て前記空気清浄化アッセンブリーに内蔵されているファン（図示せず）により換気される室内から空気が吸引される。空気流（図示矢印）は、調節できる空気ダクト６を経て空気清浄化アッセンブリー４から放出空気配分ユニット８へ送られる。前記ユニット８には、クリーンな空気を分配するフィルター１０が配置されており、このスクリーンは、織布、ネットなどのような少なくとも一つの圧力低下増進手段１２を備えている。さらに空気清浄化装置２は、空気濾過を行う少なくとも一つのフィルター（図示せず）を備えている。前記フィルターは、放出空気配分ユニット８に配置されているが、フィルターである点を除けば、圧力低下増進手段からなる。空気清浄化装置は、移動可能なユニットであり、この装置それ自体に、図１Ａに示すように、車輪１４が設けられており、さらに手術台１６にも設けられているか、又は、前記装置は、移動可能な器具置きテーブル１８（例えば、外科器具類のような器具類がクリーンな空気で常に保護されることを保証する）のような別の移動可能なユニットに図１Ｂに示すように車輪２０を設けるか、又は移動可能な手術台に固定して、その一部とするかになっている。有利には、一つの空気清浄化装置により器具置きテーブルの上をクリーンな空気流が流れるようにする一方、別の空気清浄化装置によって手術台の上をクリーンな空気流が流れるようにする。これによって、放出空気配分ユニットを動かし、空気流の経路における人又は他の器具類により邪魔されずに、室内の所望の場所に層流の空気流／乱流がおきていない空気流を流すことができる。この発明による空気清浄化装置により実現される、図１Ａに示すように、層流空気流／乱流が少ない空気流が手術台と平行な向きになるように空気分配スクリーンの向きが変えられる可能性は、極めて重要なことである。器具置きテーブル１８の上にクリーンな空気を流すとき、図１Ｂに示すように、前記スクリーンをやや下向きにすることが好ましい。
【００２０】
換気される室内又はその換気システムからファンにより空気を吸引し、高効率のフィルターで空気が濾過される装置へ送られる。一つの実施例によれば、空気清浄化ユニット４には、滅菌チャンバ、即ち、波長が２００ｎｍ〜２８０ｎｍのバクテリア滅菌ＵＶＣ光源からなる所謂ＵＶＣユニットも備えられている。また別の滅菌、バクテリア滅菌方法及び装置、例えば、超音波又はフラッシュランプ（キセノン）も使用できる。したがって、前記空気アッセンブリーは、周囲の空気の質と実際上無関係である。一つの代替案によれば、前記空気は、空気清浄化アッセンブリーに配置の加湿チャンバにおいて加湿されることもできる。前記空気清浄化アッセンブリーには、加熱・冷却装置も設けられていてもよい。空気が前記空気清浄化アッセンブリー４の前記部分を通過すると、空気は、ファンによりさらにフレキシブルホースからなる空気ダクト６を経て前記アッセンブリー４から、職業分野で滅菌空気スクリーンとして知られているスクリーン８として示す分配ユニットヘ送られる。前記スクリーンの外形は、使用用途に応じて変わる。
【００２１】
しかしながら、平板状のもの、入りこんでくる空気のための凹部付き球形又はボール形状のフードのもので、正面は、積層構造になっており、これは、一つ又は複数の圧力低下増進手段からなる。織布又はネットは、メッシュ開口をもち、これは、また、サイズが種々異なる。メッシュ開口部の目的は、空気流の圧力と流速を配分し、入りこむ空気を層流化し、所望の効果を放出する空気に与えるものである。極めて重要なことは、放出される空気が正しい速度をもち、乱流が少ないか又は層流になっている特性をもつ点である。
【００２２】
重要なことは、吹く領域にクリーンな空気流が集められるために前記スクリーンが簡単に調節できることである。これは、例えば、前記クリーンを案内システム３０に接続して、図２に示すように、ｘ，ｙ及びｚ方向（水平、垂直及び深さ方向）にフレキシブルとなるようにすればよいものであって、図２には、空気清浄化装置のスクリーンＣを単に載せているスタンドが示されていて、手術台まわりの人にスペース的な余裕を与えている。さらに、手術用ランプをスクリーンＣに一体化することもできる。空気供給ダクトＥは、空気清浄化アッセンブリー（図示せず）とスクリーンＣとの間に配置されている。第１の伸縮アーム部Ｆがスタンド構造部材Ｂに配置されている。この第１の伸縮アーム部Ｆを床置きスタンド部材Ｈに配置の第２の伸縮アーム部Ｇに対し上下させることで垂直方向の調節ができる。調節操作は、調節ボタンつきのエンジンユニットにより電子的に行われる。この調節は、リモートコントロールなどのような非接触器具を用いて行うこともできる。前記アームＢは、図２に示すように、伸縮アーム部Ｆに固定されているが、伸縮アーム部Ｆに対し回動できるようになっていてもよい。スクリーンＣは、スタンド構造部材Ｂに回転自由に取り付けられており、その長さ方向に対向する方向にそって調節できる。前記スクリーンは、少なくとも１８０°の角度αにわたり首が振れるようになっており、これによって、スクリーンを天井に向け上向きにしたり、床にむくよう真っすぐ下に向けたりできる。
【００２３】
図３Ａと図３Ｂは、空気清浄化装置のスクリーン４０を図解するものである。フレキシブルなホース４２からなる空気供給ダクトが空気清浄化アッセンブリー（図示せず）からきている。前記スクリーンは、織布、ネットなどのような少なくとも一つの圧力低下増進マテリアル４４，４６，４８を備えている。圧力低下増進マテリアル４４，４６，４８は、また、多孔性のプラスチックス、繊維板又は微細なチャンネルがある発泡プラスチックスの微細な複数の孔をもつシート／プレートからなるものでもよい。重要な点は、圧力低下増進手段が層流空気流／乱流が殆どない空気流を生じることができる点である。前記圧力低下増進手段における複数のスルーな孔は、ある程度の長さをもつもので、したがって、チャンネルを形成するものが好ましい。これらチャンネルは、また、いくつかの圧力低下増進手段を互いに重ねることにより形成できる。これらの孔は、直径が数ミリメーターのものである。しかしながら、孔の直径は、２０又は３０マイクロメーター又は以下であることが好ましい。前記圧力低下増進手段で排出される空気の速度をならし、乱流を起こしていない空気流又は層流の空気流がでるようにする。スクリーン４０は、スリーブ連結具をもつ空気吸引側のアウターカバーと圧力及び風速に作用する装置からなる空気排出側部とからなり、圧力及び風速に作用する装置の目的は、クリーンな空気流をコントロールするもので、即ち、中央部分空気流の風速Ｖ１ を中央部分を囲む外側における風速Ｖ２ よりも早くするようにコントロールすることが有利になる。これは、傾斜した配分プレート４４（パーフォレーションが設けてある）からなるコントロールグリッド又は傾斜下プレート又は別の減速バリヤを用いて達成できる。さらには、重要なことは、直進する一つの層流の空気流Ｖ１ と、わずかに左右横向きで、かつ上下方向に向いている一つの空気流Ｖ２ とが流れて、汚れた室内の空気がクリティカルな中央領域に入りこんでくるのを防ぐことである。代表的な風速は、中央領域Ｖ１ において約０．５〜０．８ｍ／ｓであり、外側領域Ｖ２ において約０．１〜０．６ｍ／ｓであり、これらは動きのない室内空気に合っていて、室内空気が混じり合うことがない。遅い風速Ｖ２の空気は、側縁部分からすべて層流の空気流／乱流が少ない空気流とは異なる方向へ向くもので、かくして、クリティカルなゾーンに対しては内方又は外方に向け放出される。遅い風速Ｖ２ のこの空気流は、スクリーンの前面側から横側面にかけての縁側においては、遅い風速Ｖ２ の空気流は、スクリーン中央の層流／乱流が少ない空気流に較べて９０°の角度で流れる。空気流が流れる向きは、徐々に前記側縁から前記スクリーンの中央部分へと移行する。重要な点は、風速がより早い（＞０．５ｍ／ｓ）空気流は、乱流にならない点である。空気流が届く長さに関しては、フロントプレート、即ち、側縁が若干曲がっている固定されていないプレートを使用することが最適である。風速を落とすことは、前記フロントプレートの側縁部分を密集させることでも可能であり、これによって、前記プレートまわりの圧力を前記中央部分よりも低いものにすることができる。分配プレートとも言う圧力低下増進シート／プレートをさ��に増やすことは、特に必要ではないが、増やしても構わない。圧力低下は、複数のフロントプレートで最終的に行われるもので、これらプレートの厚さは、異なるものであるが、一番外側のものを密なメッシュのクロスなどにして、乱流が起こり難い空気流又は層流の空気流にする。
【００２４】
図３Ａと図３Ｂに示すように、角度がついた分配プレート４４は、スクリーンの側縁にそって配置され、このプレートによりシート又はクロスのような圧力低下増進手段を抑え付けている。このようにして、低い風速Ｖ２ が前記スクリーンの側縁で得られる。図３Ｂに示すように、外側の圧力低下増進手段４８が前記スクリーン内の別の圧力低下増進プレート５１に対しストリップ５０、留め金、ビロード状のフックなどにより重ね抑えつけられてピンと張られている。図３Ａによれば、粗いメッシュのネット５２が外側の圧力低下増進手段４８の内側に配置されており、外側のより細かいメッシュの圧力低下増進手段４８を保持している。
【００２５】
図４Ａは、スクリーンの前面６０を示す。この前面６０は、洗濯可能のものか、又は、使い捨てのものであって、簡単に取り外せ、捨てることができるものであるか、血液などで汚染されていれば、殺菌処理される。図４Ｂで拡大して示すように、配分プレート６２は、傾斜した多孔プレートからなり、孔の面が６０〜７０％で、前記スクリーンの側縁を囲むフレームを構成し、その目的は、前記側縁に向けての圧力を一段下げることである。傾斜した多孔プレート６２の内部には、別の圧力低下増進手段６３が配置されている。これによって、ピンと張った織布／布地／ネットからなる外側圧力低下増進手段６４を空気流が最終的に通過する際は、減速された風速Ｖ２ になっている。これによって、センター、即ち、圧力低下が少ないスクリーンの中間部分において、早い風速Ｖ１ が得られる。前記空気清浄化装置には、手術のタイプに応じて異なるスクリーンが設けられる。前記スクリーンは、手術用ランプと一体のものにしてもよく、前記フィルターユニットから空気を運ぶフレキシブルなホースが取り付けられる。このことは、手術者がランプ操作を行うだけで、所望の領域に対してランプをぼけなく当て、そしてクリーンな空気を流すことができる大きな利点を奏することを意味する。
【図面の簡単な説明】
【００２６】
【図１Ａ】移動可能な空気清浄化装置の側面図。
【図１Ｂ】別の実施例の移動可能な空気清浄化装置の側面図。
【図２】空気清浄化装置にスクリーンを保持するスタンドの略図的斜視図。
【図３Ａ】空気清浄化装置に対してのスクリーンの略図的側面図。
【図３Ｂ】別の実施例の空気清浄化装置に対してのスクリーンの略図的側面図。
【図４Ａ】スクリーンに対する圧力低下増進手段の略図的斜視図。
【図４Ｂ】図４Ａによるスクリーンのコーナーの拡大側面断面図。
【国際公開パンフレット】
2005502015.tif 000003
2005502015.tif 000004
2005502015.tif 000005
2005502015.tif 000006
2005502015.tif 000007
2005502015.tif 000008
2005502015.tif 000009
2005502015.tif 000010
2005502015.tif 000011
2005502015.tif 000012
2005502015.tif 000013
2005502015.tif 000014
2005502015.tif 000015
2005502015.tif 000016
2005502015.tif 000017
2005502015.tif 000018
2005502015.tif 000019
2005502015.tif 000020
【国際調査報告】
2005502015.tif 000021
2005502015.tif 000022
2005502015.tif 000023